(57)【特許請求の範囲】
【請求項１】
棟の頂部にまたがらせて配置してその上に棟部材を載置するための台材において、一枚の板状部材を複数回曲折させて構成し、前記棟に直接にあるいはシール材を介して接触した状態でまたがらせて延在し前記棟の頂部に対応する部分を屈曲させた中央平坦部と、前記平坦部の両側に上方に突出した断面コの字形状の突出部をそれぞれ設けると共に、前記突出部の上部に通気孔を設け、前記両突出部の外側側面下端に排水孔を設けたことを特徴とする棟部材用台材。
【請求項２】
前記断面コの字形状の突出部を前記中央平坦部の両脇にそれぞれ二つ設け、それぞれの突出部の上部に通気孔を、またそれぞれの突出部の外側側面下端に排水孔を設けたことを特徴とする請求項１に記載の棟部材用台材。
【発明の詳細な説明】
【０００１】
【発明の属する技術分野】
本発明は棟部材用台材に関し、特に、棟包みや雨押さえと呼ばれる箇所にまたがらせて配置してその上に棟部材を載置するための棟部材用台材（以下、単に台材とも呼ぶ）に関する。本明細書において、棟部材とは瓦屋根の頂部に配設する冠瓦などの棟瓦や、スレート屋根等の頂部に用いる冠や伏せと呼ばれる部材のことを言う。又、屋根材とは平板瓦や屋根スレートといった屋根の表面に葺く部材を包含するものとする。
【０００２】
【従来の技術】
家屋の施工においては、特に屋根の頂部である棟に雨水が浸入しないように構成することが要求されている。又、棟は家屋の頂部にあたるため、丈夫な棟構造を損なうことなく可能な限り軽量に構成することが望まれている。
図８は従来の、モルタルや棟土を使わずに施工される棟の構成を示す断面図である。図８に示す従来の棟は、木製の板材１０１を屋根頂部の屋根材１０３の上に配置し、その上に棟部材１１０を載置して固定するようにしている。すなわち、木材１０１を台材として用い、棟部材１１０をこれで支持するようにしている。
【０００３】
【発明が解決しようとする課題】
しかしながら、図８に示す従来の棟は、木材１０１の下面１０１ａのほぼ全面が屋根材１０３とほぼ密着した状態にある。又、木材１０１の外側面１０１ｂ及び上面１０１ｃが棟部材１１０の内側面とほぼ密着した状態になる。
このような棟では、屋根の軒先側から棟部材１１０の内側に雨水が浸入したときに、木材１０１と屋根材１０３との間、又は木材１０１と棟部材１１０との間に毛細管現象が生じて、雨水が屋根の頂部に上がってしまう。屋根の頂部に上がった雨水は木材１０１や野地１０２を腐食させ、棟構造の強度を著しく弱めてしまうという問題を有していた。
【０００４】
棟を構成する部材が腐食したり、その構造がもろくなると棟が崩壊する場合も生じてくるため、施工後には定期的に棟を分解して部材を点検／交換した後に、再び組み立てるといったメンテナンスが必要であり、施工後にも多大な労力を要するものであった。本発明の目的は、棟の耐水性、耐久性を向上させて、メンテナンスの必要性を軽減させた軽量な棟部材用台材を提供することである。
【０００５】
【課題を解決するための手段】
上記目的を達成するために、本発明の棟部材用台材は、棟の頂部にまたがらせて配置してその上に棟部材を載置するための台材において、前記棟に直接にあるいはシール材を介して接触した状態でまたがらせて延在し、前記棟の頂部に対応する部分を屈曲させた中央平坦部と、前記平坦部の両側に上方に突出した断面コの字形状の突出部をそれぞれ設けると共に、前記突出部の上部に通気孔を設け、前記両突出部の外側側面下端に排水孔を設けたことを特徴とする。
【０００６】
この棟部材用台材は、棟の頂部に設けた屈曲部分を挟んだ両側の平坦部を屋根の両脇の野地と当接するよう配設して、突出部の上面で棟部材を支持するように構成する。このように棟部材用台材を構成すると、棟部材と台材、又は台材と屋根材の間に必ず空間を生じさせることができる。従って棟部材と台材との間に毛細管現象が生じて雨水が上がっても屋根の頂部にまで到達することがない。
【０００７】
なお、前記屈曲部分は屋根の頂部の形状に沿うように山形に一度だけ屈曲させても良いし、屋根の頂部の換気のために、ある程度の広さを有する空間を形成するように複数回屈曲させても良いものとする。なお、前記平坦部の屈曲部分が、棟の頂部の両脇に上方に延在する対の側面と、これら側面の上端にまたがって延在する板状部材とを具えるようにしてもよい。このようにして屋根の頂部の上に空間を確保して屈曲部分を構成すれば、屋根頂部の換気を実現できる。屋根の頂部の野地又は屋根材の上に空間を形成することにより、この部分に毛細管現象が生じることを防ぎ、雨水が屋根の頂部にまで上がることがない。又、前記板状部材を前記棟部材の下面と当接するように構成すれば、棟部材の重量を分散させて確実に支持しておくことができる。さらに、前記板状部材の両端はそれぞれ屈曲部分の対の側面より軒先側にせり出していることが好ましい。
【０００８】
また、前記平坦部の屈曲部分の上部に通気孔を設け、両突出部の外側側面下端に排水孔を設けるようにして、換気と排水を効果的に行うようにした。この通気孔は屈曲部分や突出部の上面及び側面の上部に好適に設けることもできる。
【０００９】
本願請求項２に記載の棟部材用台材は、前記断面コの字形状の突出部を前記中央平坦部の両脇にそれぞれ二つ設け、それぞれの突出部の上部に通気孔を、またそれぞれの突出部の外側側面下端に排水孔を設けたことを特徴とする。
【００１０】
また本願請求項３に記載の棟部材用台材は、棟の頂部にまたがらせて配置してその上に棟部材を載置するための台材において、前記棟の頂部に対応する部分を屈曲させた中央平坦部と、前記平坦部の両側に下方に突出した角筒状の突出部をそれぞれ設けると共に、前記突出部の上部に通気孔を設け、前記突出部の両側面下端に排水孔を設けたことを特徴とする。
【００１１】
また本願請求項４に記載の棟部材用台材は、ふき詰めの屋根と家屋の壁面との境目に配置する棟部材用台材であって、請求項１または２に記載の棟部材用台材を短手方向における中央で切断したものと同一の形状を有する部材と、前記家屋の壁面に当接して上方に延在する面とを具えることを特徴とする。
【００１２】
家屋の外壁面の途中から屋根が始まるふき詰め部と呼ばれる部位では、家屋の壁面と屋根との連結部に雨水が浸入して、野地が腐食してもろくなってしまう可能性がある。上述したいずれかの台材を前記棟の延在方向に沿って中央で切断したもののうちの一方と、ふき詰め部の壁面に当接して上方に延在する面とを具えるように台材を構成して、前記家屋の壁面と野地との連結部を覆うように設置することによって、この部分に設置される棟部材と台材との間に雨水が浸入しても家屋の外壁と野地との連結部に雨水がしみ込むのを防ぐことができる。
【００１３】
【発明の実施の形態】
本発明の実施の形態を、図面を参照して以下に説明する。
図１は本発明の棟部材用台材の第１の実施の形態の構成を示す断面図である。なお、以下の説明において同一の構成要素については複数図にまたがって同じ符号を付し、既に説明した要素についての重複する説明は省略する。図１（ａ）に示すように、本実施の形態の台材１は、棟の両脇にそれぞれ対称的に設けられ、棟にまたがって延在する平坦部１１と、同じく棟の両脇に対称的に設けられ、上方に突出している対の突出部１２とを具え、突出部１２の上面が棟部材１１０の下面に当接して棟部材１１０を支持するように構成されている。平坦部１１の中央は、屋根の勾配に平坦部１１の左右の全面が沿うように山形に屈曲しており、裏側には平坦部１１と屋根材１０３（及び、野地１０２）との間を閉塞するシール部材１２０が設けられている。シール部材１２０は好適には軟質の発泡樹脂部材を板状に形成し、台材１を釘１３０で野地１０２に打ち付けて固定することでシール部材１２０は押圧され、平坦面１１と野地１０２との間を閉塞する。
【００１４】
図１（ａ）に示す台材１は板状部材を複数回屈曲させた形状に構成されている。従って、突出部１２の内側には空間が形成され、その底部は開口している。このように台材１を構成すると、台材１と野地１０２との間に雨水が浸入しても、屈曲部１２の内側に空間が存在するため毛細管現象が生じることがなく、棟の頂部側に雨水が上がることがない。又、屋根の軒先側から台材１と棟部材１１０との間に雨水が浸入しても、平坦部１１と棟部材１１０との間に空間が存在するため、突出部１２より上側に雨水が上がることがない。従って、屋根の頂部まで雨水が浸入して野地１０２を腐食させるといった問題を防ぐことができる。
【００１５】
図１（ｂ）〜（ｄ）はいずれも図１（ａ）に示す第１の実施の形態の変形例の構成を示す断面図である。図１（ｂ）に示す台材２は、図１（ａ）に示す台材１の突出部１２の、最も外側に位置する面の端部を更に屈曲させて、屋根材１０３に当接する新たな面１３を具えている。このように台材２を構成すると、突出部１２の構造が頑強なものになり、台材２の上に載置する棟部材１１０をより確実に支持することができる。
【００１６】
図１（ｃ）に示す台材３は、図１（ａ）に示す突出部１２に更に下面３０ａを設けて、突出部３０全体を角筒状に構成した。突出部３０は内側が空洞である角筒状に構成されるためその構造が強くなり、棟部材１１０の重量を好適に支持することができる。又、この角筒状の突出部３０の内側に、その構造を更に補強する板状部材などを縦、及び／又は横、及び／又は斜めに１以上配設したり、この突出部３０自体を無垢に構成してもよい。このような構成の棟部材用台材３は、プラスチック樹脂や金属及びその他の素材を型抜きすることによって簡単に製造することができる。
【００１７】
図１（ｄ）に示す棟部材用台材４は、図１（ａ）に示す台材１の突出部１２の他に、更に別の突出部１４を棟の両脇に配設している。これら対の突出部１４はいずれも突出部１２とほぼ同じ構成を具える。従って、台材４は突出部１２の上面に加えて、突出部１４の上面でも棟部材１１０を支持するため、より確実に棟部材１１０を支持することができると共に、棟部材１１０と突出部１２、１４との間に空間が形成されるため、軒先側から棟部材１１０と台材４との間に雨水が浸入しても毛細管現象が生じて棟の頂部に雨水が上がるのを防ぐことができる。
【００１８】
図２は、本発明の棟部材用台材の第２の実施の形態の構成を示す図である。図２（ａ）に示す台材５は、図１（ｄ）に示す台材４の突出部１２及び１４を構成する側面の下端部にそれぞれ棟の頂部から屋根の流れ方向へ連通する複数の排水孔１５を、又、突出部１２及び１４の上端部の角に複数の換気孔１６を設けて構成した。このように複数の排水孔１５を設けて、突出部１２と突出部１４との間、又は上側の突出部１４の棟の頂部側に浸入した雨水をこの排水孔１５から軒先側へと逃がすと同時に、換気孔１６を設けて突出部１２、１４の内側空間の換気を実現することによって、台材５と棟部材１１０との間に雨水が滞留して部材を腐食させるといった問題を防いで棟の耐久性を向上させることができる。なお、上述した第１の実施形態及び以下に説明するいずれの台材にもこのような排水孔１５や換気孔１６を適用することができる適用することができる。
【００１９】
図２（ｂ）及び図２（ｃ）は、図２（ａ）に示す棟部材用台材４の変形例を示す正面図である。棟部材用台材６はプラスチック樹脂などの素材を型抜きして形成されており、図２（ｂ）に示すように、それぞれ上側が閉塞した円柱形状の複数の突出部１７を具えている。これら突出部１７はそれぞれが互いに離れて、平坦部１１の上に連続して配設されており、これら突出部１７同士の間隙から雨水は軒先側へ通過することができる。このように台材６を構成しても、突出部１７の上面で棟部材１１を支持すると共に、屋根の頂部に雨水が滞留することを防ぐことができる。なお、本例では突出部１７を円柱形に構成したが、これは図３（ｃ）に示すように４角柱や３角柱などの任意の形状を適用するようにしてもよい。又、突出部１７の裏側を開口させて内部を空洞にして、台材６をより軽量化してもよい。
【００２０】
図３は本発明の棟部材用台材の第３の実施の形態の構成を示す斜視図である。図３に示す台材７は、棟の両側に対に設けられた平坦部１１と、同じく対に設けられた突出部１２に加えて、台材７の中央に、ほぼ垂直方向に延在する対の側面１８ａと、中央で棟部材１１０の下面の屈曲に合わせて山形に屈曲している上面１８ｂとからなる第２の突出部１８を具える。従って、台材７は対の突出部１２と第２の突出部１８とで棟部材１１０を支持しており、棟の構成をより丈夫なものにしている。更に、前記側面１８ａの上部には換気孔１８ｃを設けて第２の突出部１８の内側の換気を実現すると共に、上面１８ｂの両端１８ｄを側面１８ａの上端部よりそれぞれ屋根の軒先側にせり出させて換気孔１８ｃから雨水が入らないようにしている。なお、この上面１８ｂは側面１８ａの外側にせり出させずに対の側面１８ａと連続させて構成してもよい。又、上面１８ｂの中央を平坦に構成してもよい。
【００２１】
図４は本発明の棟部材用台材の第４の実施の形態の構成を示す断面図である。図４に示す台材８は、棟の両側に延在し棟部材１１０を支持する平坦部１９と、当該平坦部１９を支持する対の脚部２０と、前記平坦部１９の棟の両脇に複数設けられ、雨水を落下させるための孔２１と、この孔２１に入った雨水を屋根の流れ方向に通過させる排水孔２２とを具える。平坦部１９は上に載置する棟部材１１０の下面の形状に沿うように中央で山形に屈曲している。脚部２０はそれぞれ角筒状に構成され、平坦部１９の裏面に棟を挟んで２本づつ対称的に配設されており、それぞれの脚部２０の下端部には排水孔２２が屋根の頂部側から流れ方向における下流側へと連通している。平坦部１９と屋根材１０３との間にはシール部材１２０が設けられていて、これら部材間を閉塞している。
【００２２】
この台材８は、平坦部１９のほぼ全面が棟部材１１０に当接しているが、このため棟部材１１０と台材８との間に毛細管現象が生じて雨水が上がってきても、平坦部１９に設けた孔２１から落とすようにして雨水が棟の頂部にまで上がらないようにしている。孔２１から落ちた雨水は排水孔２２を通って屋根の流れ方向へと排出される。なお、脚部２０の構成は十分な強度と、孔２１から落ちる雨水の排水手段とを有し、軽量な構造のものであれば、他の構成のものを適用してもよい。また、孔２１の形状や大きさも製造条件等を勘案して任意に決定することができる。
【００２３】
図５は本発明にかかる棟部材用台材の第５の実施の形態の構成を示す断面図である。この台材９はふき詰め部の屋根面と壁面の接合部に適用するための台材であって、野地１０２の上に葺設された屋根材１０３とほぼ平行に延在する平坦部２３と、並んで延在する突出部２４ａおよび２４ｂと、ふき詰め部の壁面１０８に当接して上方に延在する面２５とを具える。平坦部２３と屋根材１０３との間にはシール部材１２０を設けてこれら部材間を完全に閉塞して、ふき詰め部の屋根の接続部に雨水が浸入しないよう構成している。２つの突出部２４ａおよび２４ｂはそれぞれふき詰め部用の棟部材１１１を支持すると共に、下端部の側面には排水孔（図示せず）が設けられ、棟部材１１１と台材９との間に浸入した雨水が滞留しないようにしている。ふき詰め部は、野地１０２と壁面１０８との接合部に棟部材１１１を配置した後に、外側に外壁面１０９を配設して構成される。
【００２４】
壁面１０８に当接する面２５は、棟部材１１１の最上端部１１１ａよりも更に上まで延在している。このように面２５を棟部材１１１の上端１１１ａより上に延在するように構成することによって、外壁１０９と棟部材１１１との間に浸入した雨水が、これら部材間に生じる毛細管現象によって上がったときに、壁面１０８にまで届くことがない。このようにふき詰め部用の台材９を構成すれば、ふき詰め部を好適に防水して耐久性を向上させることができる。図５において、平坦部２３および突出部２４ａ、２４ｂとは図１（ｄ）に示す台材４を中央で２つに切断したものと同一の構成を有しており、従ってこの構成の他にも、上述した図１（ａ）〜（ｃ）、図２及び図３に示す棟部材用台材を中央で２つに切断した一方と、壁面１０８に当接して上方に延在する面２５とで台材を構成することができる。
【００２５】
図６は、上述した第５の実施の形態にかかる棟部材用台材の変形例の構成を示す断面図である。図６に示すように、この台材１０は、突出部１２を構成する側面のうち、最も屋根の流れ方向において下流側に位置する面１２ａの途中から、斜め下に向かって延在する短い面３５を具えている。この面３５を返し板として設けることにより、棟部材１１１と台材１０との間に軒先側から雨水が上がりにくくなる。なお、面３５は斜め下方向に延在する構成のものに限るものではなく、屋根材１０３に平行するように設けるなど、他の構成も適用することができる。
【００２６】
上述した棟部材用台材はいずれも所定の長さに構成し、一つの棟に同一種類の台材を複数個連結させて施工するのが好適である。図７は、本発明の棟部材用台材の連結部の構成の一例を示す斜視図である。ここでは例として、図１（ａ）に示す台材１に適用した連結部を説明する。図７に示すように、台材１ａ、１ｂ、１ｃはそれぞれ隣に敷設される別の台材とそれぞれ平坦部１１の長手方向の端部を重ねて連結される。
【００２７】
図７において、台材１ａの突出部１２ａの上面４１ａ及び外側面４２ａの端部よりも、内側面４３ａと平坦部１１ａとが台材１ａの一端（図７において手前側）において長く延在している。台材１ａに連結させる台材１ｂの一端（図７において後端側）の突出部１２ｂには、外側面４２ｂの内側にガイド溝４４が設けられており、又、突出部１２ａの外側面４２ａの端部は斜めに切り欠かれている（切り欠き部４５）。突出部１２ｂの後側端部を突出部１２ａの前側端部に僅かに重ねてスライドさせると、切り欠き部４５がガイド溝４４内に挿入されて止まり、台材１ａと台材１ｂとが重なる部分を密着させる。台材１ａと１ｂが重なる部分において、突出部１２ａの内側面４３ａの上端部は僅かに切り欠かれていて、台材１ａ、１ｂを連結したときに、突出部１２ａ、１２ｂが重なるのに不具合がないようにしている。このように台材１の連結部を構成すれば、台材同士の連結部から雨水が浸入することを防ぐことができる。
【００２８】
【発明の効果】
上記に詳細に説明したように、本発明の棟部材用台材は、屋根材の上に載置する平坦部と、この平坦部から上方に突出する突出部とを具え、突出部の頂部で棟部材を支持するようにしている。又は、平坦部を丈夫な構造の脚部で屋根材から浮かせた状態で支持し、この平坦部が棟部材を支持するように構成している。従って、従来の台材のように下に木材を配置する必要がないため、雨水等によって木材が腐食するといった問題が生じることがない。又、木材を使用しないため、木材がもろくなって台材だけでは棟部材を支えきれなくなり、棟が崩壊するといった問題も防ぐことができる。又、台材をプラスチック樹脂等の軽量な素材で構成するようにすれば、棟の軽量化を図ることができる。突出部は棟の両脇に対に設けるだけでもよいが、中央にも突出部を設けて棟部材を支持するように構成すれば、長期に渡ってより確実に棟部材の重量を支持することができる。又、この中央に配設する突出部に換気孔を設けるようにすれば、野地の換気を好適に実現することができる。
【００２９】
又、本発明の棟部材用台材は、台材と棟部材（または屋根材）との間に必ず毛細管現象が生じることを防ぐための空間を設けるようにしており、屋根の頂部にまで雨水が上がることがない。従って、これら部材間に浸入した雨水が屋根の頂部に滞留することがなく、棟構造の耐久性を向上させることができる。又、例えこれらの部材間に雨水が浸入しても好適に排水する排水手段を設けているため、より耐久性のある棟構造を実現することができる。
【００３０】
又、本発明の棟部材用台材は、台材の裏面にシール部材を設けて、台材と屋根材（又は、野地）との間を閉塞するようにしているため、屋根の頂部や、ふき詰め部の屋根面と壁面との接合部に雨水が浸入することがなく、棟や外壁面の耐久性をより向上させることができる。このようにして棟の耐水性、耐久性を向上させることによって、定期メンテナンスの間隔を従来より長く設定することができるため、メンテナンスに要していた労力を軽減させることができる。
【図面の簡単な説明】
【図１】本発明にかかる棟部材用台材の、第１の実施の形態の構成を示す断面図である。
【図２】本発明にかかる棟部材用台材の、第２の実施の形態の構成を示す図である。
【図３】本発明にかかる棟部材用台材の、第３の実施の形態の構成を示す図である。
【図４】本発明にかかる棟部材用台材の、第４の実施の形態の構成を示す断面図である。
【図５】本発明にかかる棟部材用台材の、第５の実施の形態の構成を示す断面図である。
【図６】本発明の棟部材用台材の変形例の構成を示す断面図である。
【図７】本発明の棟部材用台材の連結部分の構成を示す斜視図である。
【図８】従来の棟部材用台材の構成を示す断面図である。
【符号の説明】
１〜１０    棟部材用台材
１１，１９  平坦部
１２，１４，１７，２４，３０    突出部
１５，２１，２２    排水孔
１６，１８ｃ        換気孔
２１        孔
１３，３５  面
【図１】
0003593555.tif 000002
【図２】
0003593555.tif 000003
【図３】
0003593555.tif 000004
【図４】
0003593555.tif 000005
【図５】
0003593555.tif 000006
【図６】
0003593555.tif 000007
【図７】
0003593555.tif 000008
【図８】
0003593555.tif 000009